(57)【要約】【課題】住戸内にて発生した異常の検出に基づく警報発報／表示を、警報元の住戸のみならず予め個別に定められた他住戸にて行なう。【解決手段】異常検出したセキュリティセンサに接続される警報元のセキュリティインターホン４ｂのＣＰＵ１０は、多重伝送線Ｌ１１を介してインターホン制御装置７に送出される多重伝送信号を、（警報元以外の）各セキュリティインターホン４ａ、４ｃ、・・・のＣＰＵ１０（１０、１０、・・・）にそれぞれ伝送させる。各セキュリティインターホン４ａ、４ｃ、・・・のＣＰＵ１０（１０、１０、・・・）は、警報元のセキュリティインターホン４ｂからの多重伝送信号に包含されている警報元アドレスと操作部１４（１４、１４、・・・）の特定の操作に基づき設定記憶部１５（１５、１５、・・・）に予め記憶されていた警報元アドレスとを照合し、当該アドレスが一致した場合にのみ警報発報／表示を行なう。【選択図】　図２
2004046350.tif 000002
【特許請求の範囲】
【請求項１】
異常を検出するために１以上のセキュリティセンサ（１ａ〜３ａ、１ｂ〜３ｂ、１ｃ〜３ｃ、・・・）を接続した住戸内等に設置される複数のセキュリティインターホン（４ａ、４ｂ、４ｃ、・・・）を、多重伝送線（Ｌ１１）を介して管理室内等の共用部に設置されるインターホン制御装置（７）に接続し、
各セキュリティインターホンは、１つの住戸内に設置されるセキュリティインターホン（４ｂ）に接続されたセキュリティセンサ（１ｂ〜３ｂ）による異常検出を、予め定められた他住戸内に設置されるセキュリティインターホン（４ａ）にて警報発報／表示させるにあたり、前記多重伝送線を介して前記１つの住戸内のセキュリティセンサの異常検出に伴う前記１つの住戸内のセキュリティインターホンから前記インターホン制御装置への多重伝送信号により、前記予め定められたセキュリティインターホンにて警報発報／表示させるためのＣＰＵ（１０）を備えたことを特徴とするセキュリティインターホンシステム。
【請求項２】
異常を検出するために１以上のセキュリティセンサ（１ａ〜３ａ、１ｂ〜３ｂ、１ｃ〜３ｃ、・・・）を接続した住戸内等に設置される複数のセキュリティインターホン（４ａ、４ｂ、４ｃ、・・・）を、多重伝送線（Ｌ１１）を介して管理室内等の共用部に設置されるインターホン制御装置（７）に接続し、
各セキュリティインターホンは、１つの住戸内に設置されるセキュリティインターホン（４ｂ）に接続されたセキュリティセンサ（１ｂ〜３ｂ）による異常検出を、予め定められた他住戸内に設置されるセキュリティインターホン（４ａ）にて警報発報／表示させるにあたり、前記多重伝送線を介して前記１つの住戸内のセキュリティセンサの異常検出に伴う前記１つの住戸内のセキュリティインターホンから前記インターホン制御装置への多重伝送信号に基づく前記インターホン制御装置からの多重伝送信号により、前記予め定められたセキュリティインターホンにて警報発報／表示させるためのＣＰＵ（１０）を備えたことを特徴とするセキュリティインターホンシステム。
【請求項３】
異常を検出するために１以上のセキュリティセンサ（１ａ〜３ａ、１ｂ〜３ｂ、１ｃ〜３ｃ、・・・）を接続した住戸内等に設置される複数のセキュリティインターホン（４ａ、４ｂ、４ｃ、・・・）を、多重伝送線（Ｌ１１）を介して管理室内等の共用部に設置されるインターホン制御装置（７）に接続し、
各セキュリティインターホンは、１つの住戸内に設置されたセキュリティインターホン（４ｂ）に接続されたセキュリティセンサ（１ｂ〜３ｂ）による異常検出を、予め定められた他住戸内に設置されるセキュリティインターホン（４ａ）にて警報発報／表示させるにあたり、前記多重伝送線を介して前記１つの住戸内のセキュリティセンサの異常検出に伴う前記１つの住戸内のセキュリティインターホンから前記インターホン制御装置への多重伝送信号を送出するとともに、前記１つのセキュリティインターホンは、前記予め定められたセキュリティインターホンへ送出する多重伝送信号により、前記予め定められたセキュリティインターホンにて警報発報／表示させるためのＣＰＵ（１０）を備えたことを特徴とするセキュリティインターホンシステム。
【請求項４】
前記多重伝送線を介して前記１つの住戸内の前記異常検出に伴う前記１つのセキュリティインターホンからの多重伝送信号により、管理室内に設置される管理室親機（６）にて警報発報／表示させることを特徴とする請求項１乃至請求項３のうち何れか１項記載のセキュリティインターホンシステム。
【請求項５】
前記多重伝送線を介して送受信される多重伝送信号は、少なくとも警報先のセキュリティインターホンを特定できる情報を包含することを特徴とする請求項２乃至請求項４のうち何れか１項記載のセキュリティインターホンシステム。
【請求項６】
前記多重伝送線を介して送受信される多重伝送信号は、少なくとも警報元のセキュリティインターホンを特定できる情報を包含することを特徴とする請求項１乃至請求項５のうち何れか１項記載のセキュリティインターホンシステム。
【請求項７】
前記多重伝送線を介して送受信される多重伝送信号は、少なくとも１種類以上の警報情報を包含するとともに、多種の警報の代表警報情報および／または各種の警報固有情報とすることを特徴とする請求項１乃至請求項６のうち何れか１項記載のセキュリティインターホンシステム。
【請求項８】
前記予め定められたセキュリティインターホンは、前記多重伝送線を介して受信された前記１つの住戸内のセキュリティインターホンの異常検出に基づく多重伝送信号による警報時に、自己に接続された前記セキュリティセンサの異常検出による警報表示とは異なる表示を行なうものであることを特徴とする請求項１乃至請求項７のうち何れか１項記載のセキュリティインターホンシステム。
【請求項９】
前記予め定められたセキュリティインターホンは、前記多重伝送線を介して受信された前記１つのセキュリティインターホンの異常検出に基づく多重伝送信号による警報時に、警報元である前記１つのセキュリティインターホンを特定できる警報音の鳴動および／または警報表示を行なうものであることを特徴とする請求項１乃至請求項８のうち何れか１項記載のセキュリティインターホンシステム。
【請求項１０】
前記予め定められたセキュリティインターホンは、予め設定された警報元である前記１つのセキュリティインターホンより送出される多重伝送信号を受信時のみ、警報元である他住戸の警報を発報するような設定手段（１４、１５）を有することを特徴とする請求項１および請求項４乃至請求項９のうち何れか１項記載のセキュリティインターホンシステム。
【請求項１１】
前記１つのセキュリティインターホンは、前記予め定められた警報先であるセキュリティインターホンに宛てた多重伝送信号を発生するような設定手段（１４、１５）を有することを特徴とする請求項３乃至請求項９のうち何れか１項記載のセキュリティインターホンシステム。
【請求項１２】
前記予め定められたセキュリティインターホンは、予め選択された１以上の警報情報を示す多重伝送信号を、受信時のみ他住戸内にて警報発報するような設定手段（１４、１５）を有することを特徴とする請求項１乃至請求項１１のうち何れか１項記載のセキュリティインターホンシステム。
【請求項１３】
前記設定手段は、特定の操作を行なうための操作部（１４）と、前記特定の操作に基づき、前記設定を記憶するための記憶手段（１５）とを有することを特徴とする請求項１０乃至請求項１２のうち何れか１項記載のセキュリティインターホンシステム。
【請求項１４】
前記予め定められたセキュリティインターホンの設定にあたり、前記予め定められたセキュリティインターホンは、前記管理室親機の特定の操作による前記インターホン制御装置の制御により前記多重伝送線を介して受信される設定信号に基づき、前記設定を記憶するための記憶手段（１５）を有することを特徴とする請求項１０乃至請求項１２のうち何れか１項記載のセキュリティインターホンシステム。
【請求項１５】
前記予め定められたセキュリティインターホンは、他住戸警報の代表表示を有し、前記１つのセキュリティインターホンより発生された警報情報が、代表警報情報および／または各種の警報固有情報を代表表示することを特徴とする請求項１乃至請求項１４のうち何れか１項記載のセキュリティインターホンシステム。
【請求項１６】
前記予め定められたセキュリティインターホンは、他住戸警報の代表表示を有し、前記１つのセキュリティインターホンより発生された警報情報が、代表警報情報のときには代表表示のみを、各種の警報固有情報のときには代表表示とともに自己の警報表示を兼用し各種の警報を個別に表示することを特徴とする請求項１乃至請求項１５のうち何れか１項記載のセキュリティインターホンシステム。
【請求項１７】
前記予め定められたセキュリティインターホンは、前記１つのセキュリティインターホンより発生された警報情報が代表警報情報のときには他住戸からの警報受信を示す文字および／または図形のみを、各種の警報固有情報のときには他住戸からの警報受信を示す文字および／または図形と各種の警報を個別に示す文字および／または図形を表示するための表示手段（２１）を有することを特徴とする請求項１乃至請求項１６のうち何れか１項記載のセキュリティインターホンシステム。
【請求項１８】
前記予め定められたセキュリティインターホンは、前記１つのセキュリティインターホンを特定できる情報を包含する警報情報の受信により前記１つのセキュリティインターホンを特定する文字および／または図形を表示するための表示手段（２１）を有することを特徴とする請求項１乃至請求項１７のうち何れか１項記載のセキュリティインターホンシステム。
【請求項１９】
前記予め定められたセキュリティインターホンは、音声データを内蔵し、音声警報音出力時には前記内蔵した音声データを利用して音声警報音を鳴動するための音声合成手段（１６）を有することを特徴とする請求項１乃至請求項１８のうち何れか１項記載のセキュリティインターホンシステム。
【請求項２０】
前記予め定められたセキュリティインターホンは、前記１つのセキュリティインターホンを特定できる情報を包含する警報情報の受信により前記１つのセキュリティインターホンを特定する音声警報音を鳴動するための音声警報音出力手段（１８）を有することを特徴とする請求項１乃至請求項１９のうち何れか１項記載のセキュリティインターホンシステム。
【請求項２１】
前記予め定められたセキュリティインターホンは、前記インターホン制御装置から多重伝送線を介して受信される音声データまたは音声信号を利用して、音声警報音を鳴動するものであることを特徴とする請求項１乃至請求項２０のうち何れか１項記載のセキュリティインターホンシステム。
【請求項２２】
前記予め定められたセキュリティインターホンは、前記内蔵する音声データと前記インターホン制御装置から多重伝送線を介して受信される音声データ、または音声信号とを組み合わせて、音声警報音を鳴動するものであることを特徴とする請求項２１記載のセキュリティインターホンシステム。
【発明の詳細な説明】
【０００１】
【発明の属する技術分野】
本発明は、住戸内にて発生した異常を検出し警報発報／表示を行なう機能を有するセキュリティインターホンシステムに係り、特に、異常検出に基づく警報発報／表示を、警報元の住戸のみならず予め個別に定められた他住戸にて行なうことができるセキュリティインターホンシステムに関する。
【０００２】
【従来の技術】
従来から、この種のセキュリティインターホンシステムとして、図６のブロック図に示す構成のセキュリティインターホンシステムが提案されている。
【０００３】
図６のブロック図に示すセキュリティインターホンシステムにおいて、当該システムが適用される住戸内等、例えば、集合住宅の１０１号室内、１０２号室内、１０３号室内、・・・にそれぞれ設置されており、各住戸内にて発生した異常（以下、セキュリティ異常という。）を検出するための１以上のセキュリティセンサ、ここでは、住戸毎、３個づつのセキュリティセンサ５１ａ〜５３ａ、５１ｂ〜５３ｂ、５１ｃ〜５３ｃ、・・・には、個別のセンサ接続線Ｌ５１ａ〜Ｌ５３ａ、Ｌ５１ｂ〜Ｌ５３ｂ、Ｌ５１ｃ〜Ｌ５３ｃ、・・・を介してセキュリティインターホン５４ａ、５４ｂ、５４ｃ、・・・がそれぞれ接続されている。また、各セキュリティインターホン５４ａ、５４ｂ、５４ｃ、・・・には、個別の子機接続線Ｌ６０ａ、Ｌ６０ｂ、Ｌ６０ｃ、・・・を介して自住戸の玄関先に設置された玄関子機５５ａ、５５ｂ、５５ｃ、・・・がそれぞれ接続されているとともに、多重伝送線Ｌ６１を介して管理室内等の共用部に設置された住棟受信機５６を構成するインターホン制御装置５６ａが接続されており、このインターホン制御装置５６ａには、（通信用の）モデム６０が内蔵されている。また、住棟受信機５６は、上述のインターホン制御装置５６ａと当該インターホン制御装置に親機接続線Ｌ６２を介して接続された管理室親機５６ｂとで（一体的に）構成されている。さらに、住棟受信機５６のインターホン制御装置５６ａには、公衆回線５７を介して管理会社、警備会社等の管理センタ５８が接続されている。なお、公衆回線５７には、通常、各住戸内、管理室内にそれぞれ設置された電話機（図示せず）が接続されている。
【０００４】
次に、従来例のセキュリティインターホンシステムにおいて、複数の住戸のうち、例えば、１０２号室内にて火災が発生した場合、セキュリティセンサ５１ｂ〜５３ｂのうち、火災の発生を検出（感知）するためのセキュリティセンサ、ここでは、セキュリティセンサ５１ｂが作動し、このセキュリティセンサ５１ｂにセンサ接続線Ｌ５１ｂを介して接続されているセキュリティインターホン５４ｂでは、１０２号室内の居住者に対して警報発報／表示を行なうとともに、子機接続線Ｌ６０ｂを介して接続されている玄関子機５５ｂを制御し、１０２号室の玄関先近傍に居る人物（他住戸の居住者や来訪者等）に対して警報発報／表示を行ない、併せて１０２号室内にて火災が発生した旨の警報元アドレスおよび警報情報を包含した多重伝送信号からなる警報信号を多重伝送線Ｌ６１に出力する。この警報信号は、多重伝送線Ｌ６１を介して（警報元を除く）各セキュリティインターホン５４ａ、５４ｃ、・・・にそれぞれ伝送されるとともに、多重伝送線Ｌ６１、住棟受信機５６のインターホン制御装置５６ａ、親機接続線Ｌ６２を介して管理室親機５６ｂに伝送される。
【０００５】
ここで、各セキュリティインターホン５４ａ、５４ｃ、・・・は、セキュリティインターホン５４ｂからの警報信号に警報先アドレスが包含されていないことに起因して警報元アドレスおよび警報情報が無効であると判断する。
【０００６】
また、住棟受信機５６のインターホン制御装置５６ａは、セキュリティインターホン５４ｂからの警報信号に包含されている警報元アドレスおよび警報情報に基づき、１０２号室内にて火災が発生した旨のセキュリティ異常を検出し、警報元である１０２号室に対して予め定められている警報移報エリア、例えば、警報元の１０２号室を除く当該１０２号室と同一階の各住戸である１０１号室内のセキュリティインターホン５４ａ、１０３号室内のセキュリティインターホン５４ｃ、・・・および１０２号室の直上階である（２階の）各住戸内のセキュリティインターホン（図示せず）を特定するための警報先エリアアドレスを警報信号に包含させた多重伝送信号からなる警報移報信号を多重伝送線Ｌ６１に出力する。この警報移報信号は、多重伝送線Ｌ６１を介して各セキュリティインターホン５４ａ、５４ｂ、５４ｃ、・・・にそれぞれ伝送される。
【０００７】
また、各セキュリティインターホン５４ａ、５４ｂ、５４ｃ、・・・は、住棟受信機５６のインターホン制御装置５６ａからの警報移報信号に包含されている警報先エリアアドレスと自端末に予め割り当てられているエリアアドレスとを照合し、当該アドレスが一致した場合にのみ警報元アドレスおよび警報情報が有効であると判断して警報発報／表示を行なう、ここでは、１０１号室内のセキュリティインターホン５４ａ、１０３号室内のセキュリティインターホン５４ｃ、・・・および１０２号室の直上階である（２階の）各住戸内のセキュリティインターホン（図示せず）にて当該アドレスが一致し、警報発報／表示が行なわれることにより、これを確認した警報元の１０２号室を除く当該１０２号室と同一階の各住戸である１０１号室内の居住者、１０３号室内の居住者、・・・および１０２号室の直上階である（２階の）各住戸内の居住者は、迅速な対応および避難が可能となる。
【０００８】
さらに、住棟受信機５６の管理室親機５６ｂは、セキュリティインターホン５４ｂからの警報信号に包含されている警報元アドレスおよび警報情報に基づき、１０２号室内にて火災が発生した旨のセキュリティ異常を検出し警報発報／表示を行なうことにより、これを確認した管理室内の管理人は、迅速な対応および避難が可能となる。
【０００９】
なお、住棟受信機５６のインターホン制御装置５６ａは、モデム６０の制御による外線発信手段を利用することにより、セキュリティインターホン５４ｂからの警報信号を、公衆回線５７を介して管理会社、警備会社等の管理センタ５８へ転送させることも可能である。
【００１０】
【発明が解決しようとする課題】
しかしながら、図６のブロック図に示す従来例のセキュリティインターホンシステムにおいて、１０２号室内のセキュイリティセンサ５１ｂが作動したことに基づく火災の発生を示す警報発報／表示は、セキュリティインターホン５４ｂ、玄関子機５５ｂ、住棟受信機５６の管理室親機５６ｂおよび／または管理センタ５８とともに、警報移報エリア単位で定められた近隣の住戸にて行なわれ、警報発報／表示させるセキュリティインターホンを個別に特定できない難点があった。
【００１１】
このため、従来例のセキュリティインターホンシステムを店舗付きの集合住宅等に適用するにあたり、店舗の従業員等が別住戸に居住している場合や同一の集合住宅で２住戸、例えば、一方の住戸を親世帯、他方の住戸を子世帯として利用している場合には、一方の住戸内にて発生したセキュリティ異常を他方の住戸内にて容易に確認させる手段が備えられておらず、これを具現化するために、住棟受信機５６のインターホン制御装置５６ａでは、モデム６０の制御による外線発信手段を利用し、公衆回線５７を介して管理会社、警備会社等の管理センタ５８へ警報信号を転送させ、この警報移報を確認した人物が管理センタ５８から公衆回線５８を介して他住戸内の電話機（図示せず）に対して連絡をとらねばならず、管理センタ５８との間で個別の契約を締結するような手続が必要とされ契約費が高価となるとともに、使用機器の増加に伴い当該機器間の接続が煩雑となり送受信される信号の信頼性が低下する虞があった。
【００１２】
本発明は、上述の難点を解消するためになされたもので、住戸内にて発生した異常の検出に基づく警報発報／表示を、警報元の住戸のみならず予め個別に定められた他住戸にて行なうにあたり、使用機器間の接続を容易として施工費等のコストを削減するとともに、当該機器間にて送受信される信号の信頼性を向上させたセキュリティインターホンシステムを提供することを目的としている。
【００１３】
【課題を解決するための手段】
上述の目的を達成するため、本発明のセキュリティインターホンシステムは、異常を検出するために１以上のセキュリティセンサを接続した住戸内等に設置される複数のセキュリティインターホンを、多重伝送線を介して管理室内等の共用部に設置されるインターホン制御装置に接続する。各セキュリティインターホンは、１つの住戸内に設置されるセキュリティインターホンに接続されたセキュリティセンサによる異常検出を、予め定められた他住戸内に設置されるセキュリティインターホンにて警報発報／表示させるにあたり、多重伝送線を介して１つの住戸内のセキュリティセンサの異常検出に伴う１つのセキュリティインターホンからインターホン制御装置への多重伝送信号により、予め定められたセキュリティインターホンにて警報発報／表示させるためのＣＰＵを備えている。
【００１４】
このようなセキュリティインターホンシステムによれば、異常検出したセキュリティセンサに接続される警報元のセキュリティインターホンのＣＰＵは、多重伝送線を介してインターホン制御装置に送出される多重伝送信号を、予め定められた警報先のセキュリティインターホンに伝送させることにより、警報先のセキュリティインターホンにて警報発報／表示できる。
【００１５】
また、本発明のセキュリティインターホンシステムは、異常を検出するために１以上のセキュリティセンサを接続した住戸内等に設置される複数のセキュリティインターホンを、多重伝送線を介して管理室内等の共用部に設置されるインターホン制御装置に接続する。各セキュリティインターホンは、１つの住戸内に設置されるセキュリティインターホンに接続されたセキュリティセンサによる異常検出を、予め定められた他住戸内に設置されるセキュリティインターホンにて警報発報／表示させるにあたり、多重伝送線を介して１つの住戸内のセキュリティセンサの異常検出に伴う１つのセキュリティインターホンからインターホン制御装置への多重伝送信号に基づくインターホン制御装置からの多重伝送信号により、予め定められたセキュリティインターホンにて警報発報／表示させるためのＣＰＵを備えている。
【００１６】
このようなセキュリティインターホンシステムによれば、異常検出したセキュリティセンサに接続される警報元のセキュリティインターホンのＣＰＵは、多重伝送線を介してインターホン制御装置に多重伝送信号を送出し、この多重伝送信号が入力されたインターホン制御装置からの多重伝送信号を予め定められた警報先のセキュリティインターホンに伝送させることにより、警報先のセキュリティインターホンにて警報発報／表示できる。
【００１７】
また、本発明のセキュリティインターホンシステムは、異常を検出するために１以上のセキュリティセンサを接続した住戸内等に設置される複数のセキュリティインターホンを、多重伝送線を介して管理室内等の共用部に設置されるインターホン制御装置に接続する。各セキュリティインターホンは、１つの住戸内に設置されたセキュリティインターホンに接続されたセキュリティセンサによる異常検出を、予め定められた他住戸内に設置されるセキュリティインターホンにて警報発報／表示させるにあたり、多重伝送線を介して１つの住戸内のセキュリティセンサの異常検出に伴う１つのセキュリティインターホンからインターホン制御装置への多重伝送信号を送出するとともに、１つのセキュリティインターホンは、予め定められたセキュリティインターホンへ送出する多重伝送信号により、予め定められたセキュリティインターホンにて警報発報／表示させるためのＣＰＵを備えている。
【００１８】
このようなセキュリティインターホンシステムによれば、異常検出したセキュリティセンサに接続される警報元のセキュリティインターホンのＣＰＵは、多重伝送線を介して予め定められた警報先のセキュリティインターホンに多重伝送信号を伝送させることにより、警報先のセキュリティインターホンにて警報発報／表示できる。
【００１９】
また、本発明のセキュリティインターホンシステムは、多重伝送線を介して１つの住戸内の異常検出に伴う１つのセキュリティインターホンからの多重伝送信号により、管理室内に設置される管理室親機にて警報発報／表示させる。
【００２０】
このようなセキュリティインターホンシステムによれば、管理室内に設置される管理室親機は、警報元のセキュリティインターホンから多重伝送線を介して伝送されてくる多重伝送信号を受信することにより、警報発報／表示できる。
【００２１】
また、本発明のセキュリティインターホンシステムにおいて、多重伝送線を介して送受信される多重伝送信号は、少なくとも警報先のセキュリティインターホンを特定できる情報を包含する。
【００２２】
このようなセキュリティインターホンシステムによれば、多重伝送線を介して送受信される多重伝送信号に、例えば、警報先アドレスを少なくとも包含しているため、警報先のセキュリティインターホンを特定できる。
【００２３】
また、本発明のセキュリティインターホンシステムにおいて、多重伝送線を介して送受信される多重伝送信号は、少なくとも警報元のセキュリティインターホンを特定できる情報を包含する。
【００２４】
このようなセキュリティインターホンシステムによれば、多重伝送線を介して送受信される多重伝送信号に、例えば、警報元アドレスを少なくとも包含しているため、警報元のセキュリティインターホンを特定できる。
【００２５】
また、本発明のセキュリティインターホンシステムにおいて、多重伝送線を介して送受信される多重伝送信号は、少なくとも１種類以上の警報情報を包含するとともに、多種の警報の代表警報情報および／または各種の警報固有情報とする。
【００２６】
このようなセキュリティインターホンシステムによれば、多重伝送線を介して送受信される多重伝送信号には、異常検出された警報情報を少なくとも１種類以上包含でき、この警報情報は、多種の警報の代表警報情報および／または各種の警報固有情報で構成される。
【００２７】
また、本発明のセキュリティインターホンシステムにおいて、予め定められたセキュリティインターホンは、多重伝送線を介して受信された１つのセキュリティインターホンの異常検出に基づく多重伝送信号による警報時に、自己に接続されたセキュリティセンサの異常検出による警報表示とは異なる表示を行なう。
【００２８】
このようなセキュリティインターホンシステムによれば、予め定めされた警報先のセキュリティインターホンでは、多重伝送線を介して受信した警報元のセキュリティインターホンからの多重伝送信号に包含されている警報情報に基づく警報表示と、自端末に接続されているセキュリティセンサの異常検出に基づく警報表示とを異なるパターンで行なうことができる。
【００２９】
また、本発明のセキュリティインターホンシステムにおいて、予め定められたセキュリティインターホンは、多重伝送線を介して受信された１つのセキュリティインターホンの異常検出に基づく多重伝送信号による警報時に、警報元である１つのセキュリティインターホンを特定できる警報音の鳴動および／または警報表示を行なう。
【００３０】
このようなセキュリティインターホンシステムによれば、予め定めされた警報先のセキュリティインターホンでは、警報音の鳴動および／または警報表示に基づき、警報元のセキュリティインターホンを特定できる。
【００３１】
また、本発明のセキュリティインターホンシステムにおいて、予め定められたセキュリティインターホンは、予め設定された警報元である１つのセキュリティインターホンより送出される多重伝送信号を受信時のみ、警報元である他住戸の警報を発報するような設定手段を有する。
【００３２】
このようなセキュリティインターホンシステムによれば、予め定められた警報先のセキュリティインターホンでは、設定手段を利用し警報元として特定のセキュリティインターホンからの多重伝送信号を受信したときにのみ、他住戸の警報を行なうことができる。
【００３３】
また、本発明のセキュリティインターホンシステムにおいて、１つのセキュリティインターホンは、予め定められた警報先であるセキュリティインターホンに宛てた多重伝送信号を発生するような設定手段を有する。
【００３４】
このようなセキュリティインターホンシステムによれば、警報元のセキュリティインターホンの設定手段を利用することにより、予め定められた警報先のセキュリティインターホンへの多重伝送信号が発生される。
【００３５】
また、本発明のセキュリティインターホンシステムにおいて、予め定められたセキュリティインターホンは、予め選択された１以上の警報情報を示す多重伝送信号を受信時のみ他住戸内にて警報を発報するような設定手段を有する。
【００３６】
このようなセキュリティインターホンシステムによれば、予め定められた警報先のセキュリティインターホンの設定手段を利用することにより、警報元のセキュリティインターホンからの多重伝送信号に包含されている警報情報が、設定手段により予め選択されている警報情報の場合にのみ警報発報できる。
【００３７】
また、本発明のセキュリティインターホンシステムにおいて、設定手段は、特定の操作を行なうための操作部と、特定の操作に基づき、設定を記憶するための記憶手段とを有する。
【００３８】
このようなセキュリティインターホンシステムによれば、予め定められた警報先のセキュリティインターホンの設定手段をなす操作部にて特定の操作を行なうことにより、この操作に起因して設定された内容を、設定手段をなす記憶手段に記憶できる。
【００３９】
また、本発明のセキュリティインターホンシステムにおいて、予め定められたセキュリティインターホンの設定にあたり、予め定められたセキュリティインターホンは、管理室親機の特定の操作によるインターホン制御装置の制御により多重伝送線を介して受信される設定信号に基づき、設定を記憶するための記憶手段を有する。
【００４０】
このようなセキュリティインターホンシステムによれば、管理室親機にて特定の操作を行なうことにより、インターホン制御装置を介して警報先のセキュリティインターホンを設定でき、設定の内容は記憶手段に記憶される。
【００４１】
また、本発明のセキュリティインターホンシステムにおいて、予め定められたセキュリティインターホンは、他住戸警報の代表表示を有し、１つのセキュリティインターホンより発生された警報情報が、代表警報情報および／または各種の警報固有情報を代表表示する。
【００４２】
このようなセキュリティインターホンシステムによれば、警報先のセキュリティインターホンは、警報元のセキュリティインターホンからの多重伝送信号に包含されている警報情報をなす代表警報情報および／または各種の警報固有情報を代表表示できる。
【００４３】
また、本発明のセキュリティインターホンシステムにおいて、予め定められたセキュリティインターホンは、他住戸警報の代表表示を有し、１つのセキュリティインターホンより発生された警報情報が、代表警報情報のときには代表表示のみを、各種の警報固有情報のときには代表表示とともに自己の警報表示を兼用し各種の警報を個別に表示する。
【００４４】
このようなセキュリティインターホンシステムによれば、警報先のセキュリティインターホンは、警報元のセキュリティインターホンからの多重伝送信号に包含されている警報情報が代表警報情報のときには代表表示し、各種の警報固有情報のときには代表表示とともに自己の警報表示を兼用して各種の警報を個別に表示できる。
【００４５】
また、本発明のセキュリティインターホンシステムにおいて、予め定められたセキュリティインターホンは、１つのセキュリティインターホンより発生された警報情報が代表警報情報のときには他住戸からの警報受信を示す文字および／または図形のみを、各種の警報固有情報のときには他住戸からの警報受信を示す文字および／または図形と各種の警報を個別に示す文字および／または図形を表示するための表示手段を有する。
【００４６】
このようなセキュリティインターホンシステムによれば、警報先のセキュリティインターホンの表示手段は、多重伝送信号に包含されている警報情報が代表警報情報、各種の警報固有情報の各情報の相違に応じて、異なるパターンの文字および／または図形で表示させることにより、警報元のセキュリティインターホンを特定できる。
【００４７】
また、本発明のセキュリティインターホンシステムにおいて、予め定められたセキュリティインターホンは、１つのセキュリティインターホンを特定できる情報を包含する警報情報の受信により１つのセキュリティインターホンを特定する文字および／または図形を表示するための表示手段を有する。
【００４８】
このようなセキュリティインターホンシステムによれば、警報先のセキュリティインターホンの表示手段は、警報元のセキュリティインターホンを特定できる警報情報を受信すると、警報元のセキュリティインターホンを文字および／または図形で表示できる。
【００４９】
また、本発明のセキュリティインターホンシステムにおいて、予め定められたセキュリティインターホンは、音声データを内蔵し、音声警報音出力時には内蔵した音声データを利用して音声警報音を鳴動するための音声合成手段を有する。
【００５０】
このようなセキュリティインターホンシステムによれば、警報先のセキュリティインターホンは、音声合成手段が音声データを利用して音声警報音を出力させることができる。
【００５１】
また、本発明のセキュリティインターホンシステムにおいて、予め定められたセキュリティインターホンは、１つのセキュリティインターホンを特定できる情報を包含する警報情報の受信により１つのセキュリティインターホンを特定する音声警報音を鳴動するための音声警報音出力手段を有する。
【００５２】
このようなセキュリティインターホンシステムによれば、警報先のセキュリティインターホンの音声警報音出力手段では、警報元のセキュリティインターホンを特定するための音声警報音が鳴動される。
【００５３】
また、本発明のセキュリティインターホンシステムにおいて、予め定められたセキュリティインターホンは、インターホン制御装置から多重伝送線を介して受信される音声データまたは音声信号を利用して、音声警報音を鳴動する。
【００５４】
このようなセキュリティインターホンシステムによれば、警報先のセキュリティインターホンでは、警報元のセキュリティインターホンからインターホン制御装置、多重伝送線を介して受信される音声データ、または音声信号を利用することにより、警報元のセキュリティインターホンおよび／または警報の種類（警報固有情報）を特定させるための音声警報音を鳴動できる。
【００５５】
また、本発明のセキュリティインターホンシステムにおいて、予め定められたセキュリティインターホンは、内蔵する音声データとインターホン制御装置から多重伝送線を介して受信される音声データ、または音声信号とを組み合わせて、音声警報音を鳴動する。
【００５６】
このようなセキュリティインターホンシステムによれば、警報先のセキュリティインターホンでは、音声合成手段からの音声警報音、或いは、音声合成手段からの音声警報音と警報元のセキュリティインターホンからの音声データ、または音声信号とを組み合わせた音声警報音を鳴動させることにより、警報元のセキュリティインターホンおよび／または警報の種類（警報固有情報）を特定できる。
【００５７】
【発明の実施の形態】
以下、本発明のセキュリティインターホンシステムを適用した好ましい形態の実施例について、以下、図面を参照して説明する。
【００５８】
図１は、本発明の一実施例によるセキュリティインターホンシステムの構成を示すブロック図である。
【００５９】
また、図１のブロック図において、当該システムが適用される住戸内等、例えば、集合住宅の１０１号室内、１０２号室内、１０３号室内、・・・には、各住戸内にて発生した異常、例えば、火災の発生、ガス漏れの発生、非常通報、漏水の発生、防犯、トイレ呼び出し、断線等の警報固有情報を示すセキュリティ異常を検出するための１以上のセキュリティセンサ、ここでは、住戸毎、３個づつのセキュリティセンサ１ａ〜３ａ、１ｂ〜３ｂ、１ｃ〜３ｃ、・・・と、センサ接続線Ｌ１ａ〜Ｌ３ａ、Ｌ１ｂ〜Ｌ３ｂ、Ｌ１ｃ〜Ｌ３ｃ、・・・を介してそれぞれ接続されたセキュリティセンサ１ａ〜３ａ、１ｂ〜３ｂ、１ｃ〜３ｃ、・・・の作動／非作動状態を監視／検出し、作動状態の場合には、その旨のセキュリティ異常を示す警報発報／表示を行なう機能、他住戸内にて発生したセキュリティ異常を示す警報発報／表示を行なう機能とともに、自住戸の玄関先に居る来訪者、または管理室内の管理人からの呼び出しを示す呼出発報／表示を行なう機能、居住者が管理人を呼び出すための機能、居住者が来訪者、または管理人との間で通話を成立させるための機能を有するセキュリティインターホン４ａ、４ｂ、４ｃ、・・・とがそれぞれ設置されており、各セキュリティインターホン４ａ、４ｂ、４ｃ、・・・には、子機接続線Ｌ１０ａ、Ｌ１０ｂ、Ｌ１０ｃ、・・・を介して玄関子機５ａ、５ｂ、５ｃ、・・・がそれぞれ接続され、これら玄関子機５ａ、５ｂ、５ｃ、・・・は、（自住戸の）玄関先に居る来訪者が住戸内の居住者を呼び出して通話を成立させるための機能、自住戸内にて発生したセキュリティ異常を示す警報発報を行なう機能を有する。
【００６０】
また、図１のブロック図において、当該システムが適用される集合住宅の管理室内には、住戸内にて発生したセキュリティ異常を示す警報発報／表示を行なう機能、管理室内の管理人が特定の住戸内の居住者を呼び出して通話を成立させるための機能、特定の住戸内の居住者からの呼び出しを呼出発報／表示し通話を成立させるための機能を有する管理室親機６が設置されている。
【００６１】
さらに、図１のブロック図において、当該システムが適用される集合住宅の共用部、例えば、管理室内等には、多重伝送線Ｌ１１を介して接続されたセキュリティインターホン４ａ、４ｂ、４ｃ、・・・、親機伝送線Ｌ１２を介して接続された管理室親機６を、それぞれ制御するためのインターホン制御装置７が設置されている。
【００６２】
図２は、各セキュリティインターホン４ａ、４ｂ、４ｃ、・・・の具体的な構成を示すブロック図である。
【００６３】
また、図２のブロック図において、各セキュリティインターホン４ａ、４ｂ、４ｃ、・・・は同様な構成であり、当該セキュリティインターホンの構成各部／回路を制御するためのＣＰＵ１０と、センサ接続線Ｌ１ａ〜Ｌ３ａ、Ｌ１ｂ〜Ｌ３ｂ、Ｌ１ｃ〜Ｌ３ｃ、・・・を介して接続されたセキュリティセンサ１ａ〜３ａ、１ｂ〜３ｂ、１ｃ〜３ｃ、・・・とＣＰＵ１０との間の信号伝送路をそれぞれ形成し、当該セキュリティセンサの作動／非作動状態を監視／検出するためのセンサ検出部１１と、子機接続線Ｌ１０ａ、Ｌ１０ｂ、Ｌ１０ｃ、・・・を介して接続された玄関子機５ａ、５ｂ、５ｃ、・・・とＣＰＵ１０、後述する通話部２３との間の信号（データ）伝送路をそれぞれ形成するための制御データ処理回路１２ａ、音声データ処理回路１２ｂを有する子機側通信部（以下、子機側Ｉ／Ｆという。）１２と、多重伝送線Ｌ１１を介して接続されたインターホン制御装置７とＣＰＵ１０、通話部２３、後述するアンプ１７との間の信号（データ）伝送路をそれぞれ形成するための制御データ処理回路１３ａ、音声データ処理回路１３ｂを有する制御装置側通信部（以下、制御装置側Ｉ／Ｆという。）１３と、住戸内の居住者により操作され、当該住戸内にてセキュリティ異常が発生した場合において警報発報／表示を行なう警報元以外の住戸を予め（個別に）定める、すなわち、警報先のセキュリティインターホンを予め（個別に）定めるための特定の操作を行なうとともに、居住者が管理室内の管理人を呼び出すための操作を行なう操作手段をなす操作部１４と、操作部１４にて行なわれた特定の操作により予め定められた警報先のセキュリティインターホンの設定（設定内容）、または警報元のセキュリティインターホンを特定するための設定（設定内容）とともに、管理室内の管理人により管理室親機６にて行なわれた特定の操作に基づく警報先のセキュリティインターホンの設定（設定内容）を記憶するための記憶手段をなす記憶部（以下、設定記憶部という。）１５と、各種音声データが予め内蔵されており、警報元のセキュリティインターホンでは、自住戸にてセキュリティ異常が発生した旨の音声警報音を示す音声データを出力する、一方、予め定められた警報先のセキュリティインターホンでは、警報元である他住戸を特定しセキュリティ異常が発生した旨の音声警報音を示す音声データを出力するとともに、呼出相手先のセキュリティインターホンでは、自住戸の玄関先に居る来訪者、または管理室内の管理人からの呼び出しがある旨の呼出音を示す音声データを出力するための音声合成手段をなす音声ＲＯＭ１６と、警報元のセキュリティインターホンでは、音声ＲＯＭ１６からの音声警報音を示す音声データのみを増幅する、一方、予め定められた警報先のセキュリティインターホンでは、音声ＲＯＭ１６からの音声警報音を示す音声データのみ、または前述の音声データと警報元のセキュリティインターホンより多重伝送線Ｌ１１、インターホン制御装置７、多重伝送線Ｌ１１、制御装置側Ｉ／Ｆ１３の音声データ処理回路１３ｂを介した音声データ、または音声信号とを組み合わせたデータ（信号）を増幅するとともに、呼出相手先のセキュリティインターホンでは、音声ＲＯＭ１６からの呼出音を示す音声データを増幅するための増幅手段をなすアンプ１７と、アンプ１７を介して増幅された各種音声データ（音声信号）を信号処理し、音声警報音、または呼出音を鳴動するための音声警報音出力手段をなすスピーカ１８と、各種文字データおよび／または図形データが予め内蔵されており、警報元のセキュリティインターホンでは、自住戸にてセキュリティ異常が発生した旨の文字データおよび／または図形データを出力する、一方、予め定められた警報先のセキュリティインターホンでは、警報元である他住戸を特定しセキュリティ異常が発生した旨として、警報元のセキュリティインターホンからの多重伝送信号に包含されている警報情報が代表警報情報のときには他住戸からの警報受信を示す文字データおよび／または図形データを、前述の多重伝送信号に包含されている警報情報が警報固有情報のときには他住戸からの警報受信を示す文字および／または図形データと各種の警報を個別に示す文字および／または図形データとをそれぞれ出力するとともに、呼出相手先のセキュリティインターホンでは、自住戸の玄関先に居る来訪者、または管理室内の管理人からの呼び出しがある旨の文字および／または図形データを出力するための記憶手段をなす記憶部（以下、表示データ記憶部という。）１９と、表示データ記憶部１９から所定の文字データおよび／または図形データを読み出すための制御部（以下、表示制御部という。）２０と、表示制御部２０の制御により表示データ記憶部１９より読み出された所定の文字データおよび／または図形データを信号処理し表示するための表示手段をなすＬＣＤで構成されたモニタ２１と、スピーカ１８にて鳴動された呼出音とともにモニタ２１に表示された所定の文字および／または図形に基づき、自住戸の玄関先に居る来訪者、または管理室内の管理人からの呼び出しを確認した住戸内の居住者が応答し、通話を成立させるために使用する通話機能をなす送受話器２２と、送受話器２２と子機側Ｉ／Ｆ１２の音声データ処理回路１２ｂ、または制御装置側Ｉ／Ｆ１３の音声データ処理回路１３ｂとの間の通話路を形成するための通話部２３とが備えられている。
【００６４】
このように構成された本発明の一実施例によるセキュリティインターホンシステムにおいて、以下、具体的な動作について説明する。
【００６５】
なお、本発明の一実施例によるセキュリティインターホンシステムにおいて、特定の住戸の玄関先に居る来訪者、または管理室内の管理人が特定の住戸内の居住者を呼び出して通話を成立させるための動作、特定の住戸内の居住者が管理室内の管理人を呼び出して通話を成立させるための動作についての説明は、それぞれ省略する。
【００６６】
先ず、当該システムが適用される集合住宅の住戸内等のうち、ここでは、１０２号室内にてセキュリティ異常が発生し、異常検出された場合の警報発報／表示を、図１のブロック図に示す自住戸内のセキュリティインターホン４ｂおよび自住戸の玄関先の玄関子機５ｂのみならず、他住戸内のセキュリティインターホン、ここでは、１０１号室内のセキュリティインターホン４ａにて行なうにあたり、１０２号室内の居住者が警報先としてセキュリティインターホン４ａを予め定めるためには、図２のブロック図に示すセキュリティインターホン４ｂの操作部１４にて特定の操作を行なう。セキュリティインターホン４ｂのＣＰＵ１０は、操作部１４の特定の操作に起因した設定の内容、例えば、セキュリティインターホン４ａを特定するための警報先アドレスを設定記憶部１５に記憶させる。
【００６７】
なお、警報先として１０１号室内のセキュリティインターホン４ａを予め定める設定は、管理室内の管理人が図１のブロック図に示す管理室親機６にて特定の操作を行なう場合も可能であり、特定の操作に起因して管理室親機６から親機接続線Ｌ１２、インターホン制御装置７、多重伝送線Ｌ１１、図２のブロック図に示す各セキュリティインターホン４ａ、４ｂ、４ｃ、・・・の制御装置側Ｉ／Ｆ１３（１３、１３、１３、・・・）の制御データ処理回路１３ａ（１３ａ、１３ａ、１３ａ、・・・）を介してＣＰＵ１０（１０、１０、１０、・・・）にそれぞれ伝送される設定制御信号Ｓ１には、セキュリティインターホン４ａを特定するための警報先アドレスが包含されている。各セキュリティインターホン４ａ、４ｂ、４ｃ、・・・のＣＰＵ１０（１０、１０、１０、・・・）は、管理室親機６からの設定制御信号Ｓ１に包含されている警報先アドレスと自端末に予め割り当てられているアドレスとを照合し、当該アドレスが一致した場合にのみ警報先アドレスを設定記憶部１５に記憶させる。ここでは、各セキュリティインターホン４ａ、４ｂ、４ｃ、・・・のＣＰＵ１０（１０、１０、１０、・・・）のうち、１０１号室内のセキュリティインターホン４ａのＣＰＵ１０のみ当該アドレスが一致し、上述の警報先アドレスが設定記憶部１５に記憶される。
【００６８】
また、図１および図２の各ブロック図に示すセキュリティインターホン４ａにて他住戸からの警報受信の警報発報／表示を行なうために、警報元のセキュリティインターホン４ｂを特定するためには、１０１号室内の居住者が図２のブロック図に示すセキュリティインターホン４ａの操作部１４にて特定の操作を行なう。セキュリティインターホン４ａのＣＰＵ１０は、操作部１４の特定の操作に起因した設定の内容、例えば、セキュリティインターホン４ｂを特定するための警報元アドレスを設定記憶部１５に記憶させる。
【００６９】
さらに、図１のブロック図に示す管理室親機６にて他住戸からの警報受信の警報発報／表示を行なうために、警報元のセキュリティインターホン４ｂを特定する、または警報元のセキュリティインターホンは不特定とし、警報固有情報を特定、ここでは、火災の発生、ガス漏れの発生を特定するためには、管理室内の管理人が管理室親機６にて特定の操作を行なう。管理室親機６には、設定の内容、例えば、セキュリティインターホン４ｂを特定するための警報元アドレス、または火災の発生、ガス漏れの発生を特定するための警報設定情報が記憶される。
【００７０】
上述のように、１０２号室内にてセキュリティ異常が発生し、異常検出された場合に警報発報／表示を行なう警報先として、図１のブロック図に示す自住戸内のセキュリティインターホン４ｂおよび自住戸の玄関先の玄関子機５ｂのみならず、１０１号室内のセキュリティインターホン４ａが予め定められている状態において、１０２号室内にて火災、ガス漏れがそれぞれ発生すると、セキュリティセンサ１ｂ〜３ｂのうち、火災の発生を検出（感知）するためのセキュリティセンサ、ここでは、セキュリティセンサ１ｂ、ガス漏れの発生を検出（検知）するためのセキュリティセンサ、ここでは、セキュリティセンサ２ｂがぞれぞれ作動し、各セキュリティセンサ１ｂ、２ｂにセンサ接続線Ｌ１ｂ、Ｌ２ｂを介して接続されているセキュリティインターホン４ｂのセンサ検出部１１は、セキュリティセンサ１ｂ、２ｂが作動した旨の状態検出信号Ｓ２、Ｓ３をＣＰＵ１０にそれぞれ出力する。
【００７１】
図２のブロック図に示すセキュリティインターホン４ｂにおいて、センサ検出部１１からの状態検出信号Ｓ２、Ｓ３がそれぞれ入力されたＣＰＵ１０は、自住戸内にて火災、ガス漏れがそれぞれ発生したことを検出し、その旨を警報発報／表示させるために音声ＲＯＭ１６、アンプ１７、表示制御部２０をそれぞれ制御するとともに、警報元のセキュリティインターホンとして１０２号室内のセキュリティインターホン４ｂを特定するための警報元アドレス、信号種別をなす警報コマンド、１０２号室内にてセキュリティ異常が発生した旨の代表警報情報を示す警報情報を包含した図３（ａ）の説明図に示す信号構成の警報信号Ｓ１０、または上述の警報元アドレス、警報コマンド、１０２号室内にて火災、ガス漏れがそれぞれ発生した旨の警報固有情報を示す警報情報を包含した図３（ｂ）の説明図に示す信号構成の警報信号Ｓ１１、または上述の警報元アドレス、警報コマンド、１０２号室内にてセキュリティ異常が発生し、このセキュリティ異常が火災の発生、ガス漏れの発生である旨の代表警報情報および警報固有情報を示す警報情報を包含した図３（ｃ）の説明図に示す信号構成の警報信号Ｓ１２を制御装置側Ｉ／Ｆ１３の制御データ処理回路１３ａに出力する。
【００７２】
図２のブロック図に示すセキュリティインターホン４ｂにおいて、上述のＣＰＵ１０により制御された音声ＲＯＭ１６は、自住戸内にて火災、ガス漏れがそれぞれ発生したセキュリティ異常である旨を警報発報させるための音声データＳ１３を生成し、アンプ１７と、通話部２３、子機側Ｉ／Ｆ１２の音声データ処理回路１２ｂ、子機接続線Ｌ１０ｂを介して玄関子機５ｂとにそれぞれ出力するとともに、制御装置側Ｉ／Ｆ１３の音声データ処理回路１３ｂに出力する。セキュリティインターホン４ｂのアンプ１７は、音声ＲＯＭ１６からの音声データＳ１３を増幅することにより、スピーカ１８では、自住戸内にて火災、ガス漏れがそれぞれ発生したセキュリティ異常である旨の音声警報音が鳴動される。セキュリティインターホン４ｂの制御装置側Ｉ／Ｆ１３は、制御データ処理回路１３ａに入力されたＣＰＵ１０からの警報信号Ｓ１０、Ｓ１１、Ｓ１２と音声データ処理回路１３ｂに入力された音声ＲＯＭ１６からの音声データＳ１３、または音声データＳ１３を信号処理させた音声信号Ｓ１３’とを合成し、図３（ａ）、（ｂ）、（ｃ）の各説明図に示す信号構成の多重伝送信号をなす警報信号Ｓ１０’、Ｓ１１’、Ｓ１２’を多重伝送線Ｌ１１に出力する。これら警報信号Ｓ１０’、Ｓ１１’、Ｓ１２’は、多重伝送線Ｌ１１、（警報元以外の）各セキュリティインターホン４ａ、４ｃ、・・・の制御装置側Ｉ／Ｆ１３（１３、１３、・・・）の制御データ処理回路１３ａ（１３ａ、１３ａ、・・・）を介してＣＰＵ１０（１０、１０、・・・）にそれぞれ伝送されるとともに、多重伝送線Ｌ１１、インターホン制御装置７、親機接続線Ｌ１２を介して管理室親機６に伝送される。
【００７３】
図１および図２の各ブロック図に示す玄関子機５ｂでは、セキュリティインターホン４ｂからの音声データＳ１３に基づき、自住戸内にて火災、ガス漏れがそれぞれ発生したセキュリティ異常である旨の音声警報音が鳴動され、これを確認した１０２号室の玄関先近傍に居る人物（他住戸の居住者や来訪者等）は、迅速な対応および避難が可能となる。
【００７４】
図２のブロック図に示すセキュリティインターホン４ｂにおいて、上述のＣＰＵ１０により制御された表示制御部２０は、自住戸内にて火災、ガス漏れがそれぞれ発生したセキュリティ異常である旨を警報個別表示させるための文字データおよび／または画像データＳ１４を表示データ記憶部１９に予め記憶されている当該データから読み出してモニタ２１に出力することにより、モニタ２１には、自住戸内にて火災、ガス漏れがそれぞれ発生したセキュリティ異常である旨が文字および／または図形で警報個別表示される。１０２号室内の居住者は、上述のスピーカ１８にて鳴動された音声警報音とともに、モニタ２１での警報個別表示を確認することにより、迅速な対応および避難が可能となる。
【００７５】
図２のブロック図に示す各セキュリティインターホン４ａ、４ｃ、・・・のＣＰＵ１０（１０、１０、・・・）は、セキュリティインターホン４ｂからの警報信号Ｓ１０’、Ｓ１１’、Ｓ１２’にそれぞれ包含されている警報元アドレスと設定記憶部１５に予め記憶されていた警報元アドレスとを照合し、当該アドレスが一致した場合にのみ警報信号Ｓ１０’、Ｓ１１’、Ｓ１２’に包含されている警報情報がそれぞれ有効であると判断する。ここでは、１０１号室内のセキュリティインターホン４ａのＣＰＵ１０のみ当該アドレスが一致し、警報信号Ｓ１０ｂ’、Ｓ１１ｂ’、Ｓ１２ｂ’に包含されている警報情報がそれぞれ有効であると判断される。
【００７６】
ここで、図２のブロック図において、セキュリティインターホン４ｂからの警報信号Ｓ１０’に包含されている警報情報を有効であると判断したセキュリティインターホン４ａのＣＰＵ１０は、他住戸である１０２号室内にてセキュリティ異常が発生した旨の警報発報／代表表示を行なうために音声ＲＯＭ１６、アンプ１７、表示制御部２０をそれぞれ制御する。また、セキュリティインターホン４ａにおいて、警報信号Ｓ１０’に包含されているセキュリティインターホン４ｂからの音声データＳ１３、または音声信号Ｓ１３’は、制御装置側Ｉ／Ｆ１３の音声データ処理回路１３ｂを介して当該警報信号から分離しており、分離された音声データＳ１３、または音声信号Ｓ１３’はアンプ１７に印加される。
【００７７】
図２のブロック図に示すセキュリティインターホン４ａにおいて、上述のＣＰＵ１０により制御された音声ＲＯＭ１６は、他住戸内である１０２号室内にてセキュリティ異常が発生した旨を警報発報させるための音声データＳ１５ａを生成してアンプ１７に出力する。セキュリティインターホン４ａのアンプ１７は、音声ＲＯＭ１６からの音声データＳ１５ａと制御装置側Ｉ／Ｆ１３の音声データ処理回路１３ｂを介して分離された音声データＳ１３、または音声信号Ｓ１３’とを組み合わせた音声データ（音声信号）Ｓ１５ａ’を増幅することにより、スピーカ１８では、他住戸内である１０２号室内にてセキュリティ異常が発生した旨の音声警報音が鳴動される。
【００７８】
図２のブロック図に示すセキュリティインターホン４ａにおいて、上述のＣＰＵ１０により制御された表示制御部２０は、他住戸内である１０２号室内にてセキュリティ異常が発生した旨を代表表示させるための表示データＳ１６ａを表示データ記憶部１９に予め記憶されている当該データから読み出してモニタ２１に出力することにより、モニタ２１には、他住戸内である１０２号室内にてセキュリティ異常が発生した旨が文字および／または図形で代表表示される。１０１号室内の居住者は、上述のスピーカ１８にて鳴動された音声警報音とともに、モニタ２１での代表表示を確認することにより、迅速な対応および避難が可能となる。
【００７９】
次に、図２のブロック図において、セキュリティインターホン４ｂからの警報信号Ｓ１１’に包含されている警報情報を有効であると判断したセキュリティインターホン４ａのＣＰＵ１０は、他住戸である１０２号室内にて火災、ガス漏れがそれぞれ発生した旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ１１’に包含されているセキュリティインターホン４ｂからの音声データＳ１３、または音声信号Ｓ１３’は、制御装置側Ｉ／Ｆ１３の音声データ処理回路１３ｂを介して当該警報信号から分離しており、分離された音声データＳ１３、または音声信号Ｓ１３’はアンプ１７に印加される。
【００８０】
図２のブロック図に示すセキュリティインターホン４ａにおいて、上述のＣＰＵ１０により制御された音声ＲＯＭ１６は、他住戸内である１０２号室内にて火災、ガス漏れがそれぞれ発生した旨を警報発報させるための音声データＳ１５ｂを生成してアンプ１７に出力する。セキュリティインターホン４ａのアンプ１７は、音声ＲＯＭ１６からの音声データＳ１５ｂと制御装置側Ｉ／Ｆ１３の音声データ処理回路１３ｂを介して分離された音声データＳ１３、または音声信号Ｓ１３’とを組み合わせた音声データ（音声信号）Ｓ１５ｂ’を増幅することにより、スピーカ１８では、他住戸内である１０２号室内にて火災、ガス漏れがそれぞれ発生した旨の音声警報音が鳴動される。
【００８１】
図２のブロック図に示すセキュリティインターホン４ａにおいて、上述のＣＰＵ１０により制御された表示制御部２０は、他住戸内である１０２号室内にて火災、ガス漏れがそれぞれ発生した旨を代表表示とともに警報個別表示させるための表示データＳ１６ｂを表示データ記憶部１９に予め記憶されている当該データから読み出してモニタ２１に出力することにより、モニタ２１には、他住戸内である１０２号室内にて火災、ガス漏れがそれぞれ発生した旨が文字および／または図形で代表表示および警報個別表示され、これらの表示は、自住戸内である１０１号室内にて同様なセキュリティ異常が発生した場合の警報個別表示とは異なるパターンで表示される。１０１号室内の居住者は、上述のスピーカ１８にて鳴動された音声警報音とともに、モニタ２１での代表表示および警報個別表示を確認することにより、迅速な対応および避難が可能となる。
【００８２】
次に、図２のブロック図において、セキュリティインターホン４ｂからの警報信号Ｓ１２’に包含されている警報情報を有効であると判断したセキュリティインターホン４ａのＣＰＵ１０は、他住戸である１０２号室内にてセキュリティ異常が発生し、このセキュリティ異常が火災、ガス漏れの発生である旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ１２’に包含されているセキュリティインターホン４ｂからの音声データＳ１３、または音声信号Ｓ１３’は、制御装置側Ｉ／Ｆ１３の音声データ処理回路１３ｂを介して当該警報信号から分離しており、分離された音声データＳ１３、または音声信号Ｓ１３’はアンプ１７に印加される。
【００８３】
図２のブロック図に示すセキュリティインターホン４ａにおいて、上述のＣＰＵ１０により制御された音声ＲＯＭ１６は、他住戸内である１０２号室内にてセキュリティ異常が発生し、このセキュリティ異常が火災、ガス漏れの発生である旨を警報発報させるための音声データＳ１５ｃを生成してアンプ１７に出力する。セキュリティインターホン４ａのアンプ１７は、音声ＲＯＭ１６からの音声データＳ１５ｃと制御装置側Ｉ／Ｆ１３の音声データ処理回路１３ｂを介して分離された音声データＳ１３、または音声信号Ｓ１３’とを組み合わせた音声データ（音声信号）Ｓ１５ｃ’を増幅することにより、スピーカ１８では、他住戸内である１０２号室内にてセキュリティ異常が発生し、このセキュリティ異常が火災、ガス漏れの発生である旨の音声警報音が鳴動される。
【００８４】
図２のブロック図に示すセキュリティインターホン４ａにおいて、上述のＣＰＵ１０により制御された表示制御部２０は、他住戸内である１０２号室内にてセキュリティ異常が発生し、このセキュリティ異常が火災、ガス漏れの発生である旨を代表表示とともに警報個別表示させるための表示データＳ１６ｃを表示データ記憶部１９に予め記憶されている当該データから読み出してモニタ２１に出力することにより、モニタ２１には、他住戸内である１０２号室内にてセキュリティ異常が発生し、このセキュリティ異常が火災、ガス漏れの発生である旨が文字および／または図形で代表表示および警報個別表示され、これらの表示は、自住戸内である１０１号室内にて同様なセキュリティ異常が発生した場合の警報個別表示とは異なるパターンで表示される。１０１号室内の居住者は、上述のスピーカ１８にて鳴動された音声警報音とともに、モニタ２１での代表表示および警報個別表示を確認することにより、迅速な対応および避難が可能となる。
【００８５】
また、図１のブロック図に示す管理室親機６において、他住戸からの警報受信の警報発報／表示を行なうために、警報元のセキュリティインターホン４ｂを特定する警報元アドレスが予め記憶されている場合、この管理室親機６は、セキュリティインターホン４ｂからの警報信号Ｓ１０’、Ｓ１１’、Ｓ１２’にそれぞれ包含されている警報元アドレスと予め記憶されている警報元アドレスとを照合し、当該アドレスが一致することに起因して警報信号Ｓ１０’、Ｓ１１’、Ｓ１２’に包含されている警報情報を有効であると判断して適宜、警報発報／表示（詳述せず）を行なうことにより、これを確認した管理室内の管理人は、迅速な対応および避難が可能となる。
【００８６】
さらに、図１のブロック図に示す管理室親機６において、他住戸からの警報受信の警報発報／表示を行なうために、火災の発生、ガス漏れの発生を特定する警報設定情報が予め記憶されている場合、この管理室親機６は、セキュリティインターホン４ｂからの警報信号Ｓ１０’、Ｓ１１’、Ｓ１２’にそれぞれ包含されている警報情報の警報固有情報と予め記憶されている警報設定情報とを照合し、当該情報が一致することに起因して適宜、警報発報／表示（詳述せず）を行なうことにより、これを確認した管理室内の管理人は、迅速な対応および避難が可能となる。
【００８７】
なお、上述の説明による動作例（以下、第１の動作例という。）では、図２のブロック図に示すセキュリティインターホン４ｂのＣＰＵ１０から出力される警報信号として、警報元である１０２号室内のセキュリティインターホン４ｂを特定するための警報元アドレス、信号種別をなす警報コマンド、１０２号室内にてセキュリティ異常が発生した旨の代表警報情報および／または警報固有情報を示す警報情報を包含した警報信号Ｓ１０、Ｓ１１、Ｓ１２（Ｓ１０’、Ｓ１１’、Ｓ１２’）を適用するにあたり、これら警報信号Ｓ１０、Ｓ１１、Ｓ１２（Ｓ１０’、Ｓ１１’、Ｓ１２’）に包含されている警報元アドレスと各セキュリティインターホン４ａ、４ｃ、・・・の設定記憶部１５（１５、１５、・・・）に予め記憶されていた警報元アドレスとをＣＰＵ１０（１０、１０、・・・）にて照合し、当該アドレスが一致した場合にのみ警報情報が有効であると判断させたが、警報情報が有効であるか否かの判断手段として、設定記憶部１５（１５、１５、・・・）での警報元アドレスの照合を不要し、インターホン制御装置７を介して警報信号に包含される警報先アドレスとＣＰＵ１０に予め割り当てられているアドレスとを照合させ、当該アドレスが一致した場合にのみ警報情報が有効であると判断する動作例について、以下、第２の動作例として説明する。
【００８８】
上述の第１の動作例のように、１０２号室内にてセキュリティ異常が発生し、異常検出された場合に警報発報／表示を行なう警報先として、図１のブロック図に示す自住戸内のセキュリティインターホン４ｂおよび自住戸の玄関先の玄関子機５ｂのみならず、１０１号室内のセキュリティインターホン４ａが予め定められている状態において、１０２号室内にて火災、ガス漏れがそれぞれ発生すると、セキュリティセンサ１ｂ〜３ｂのうち、火災の発生を検出（感知）するためのセキュリティセンサ、ここでは、セキュリティセンサ１ｂ、ガス漏れの発生を検出（検知）するためのセキュリティセンサ、ここでは、セキュリティセンサ２ｂがぞれぞれ作動し、各セキュリティセンサ１ｂ、２ｂにセンサ接続線Ｌ１ｂ、Ｌ２ｂを介して接続されているセキュリティインターホン４ｂのセンサ検出部１１は、セキュリティセンサ１ｂ、２ｂが作動した旨の状態検出信号Ｓ２、Ｓ３をＣＰＵ１０にそれぞれ出力する。
【００８９】
図２のブロック図に示すセキュリティインターホン４ｂにおいて、センサ検出部１１からの状態検出信号Ｓ２、Ｓ３がそれぞれ入力されたＣＰＵ１０は、自住戸内にて火災、ガス漏れがそれぞれ発生したことを検出し、その旨を警報発報／表示させるために音声ＲＯＭ１６、アンプ１７、表示制御部２０をそれぞれ制御するとともに、警報元のセキュリティインターホンとして１０２号室内のセキュリティインターホン４ｂを特定するための警報元アドレス、信号種別をなす警報コマンド、１０２号室内にてセキュリティ異常が発生した旨の代表警報情報を示す警報情報を包含した図４（ａ）の説明図に示す信号構成の警報信号Ｓ１０、または上述の警報元アドレス、警報コマンド、１０２号室内にて火災、ガス漏れがそれぞれ発生した旨の警報固有情報を示す警報情報を包含した図４（ｂ）の説明図に示す信号構成の警報信号Ｓ１１、または上述の警報元アドレス、警報コマンド、１０２号室内にてセキュリティ異常が発生し、このセキュリティ異常が火災の発生、ガス漏れの発生である旨の代表警報情報および警報固有情報を示す警報情報を包含した図４（ｃ）の説明図に示す信号構成の警報信号Ｓ１２を制御装置側Ｉ／Ｆ１３の制御データ処理回路１３ａに出力する。
【００９０】
図２のブロック図に示すセキュリティインターホン４ｂにおいて、上述のＣＰＵ１０により制御された音声ＲＯＭ１６は、自住戸内にて火災、ガス漏れがそれぞれ発生したセキュリティ異常である旨を警報発報させるための音声データＳ１３を、アンプ１７と、通話部２３、子機側Ｉ／Ｆ１２の音声データ処理回路１２ｂ、子機接続線Ｌ１０ｂを介して玄関子機５ｂとにそれぞれ出力するとともに、制御装置側Ｉ／Ｆ１３の音声データ処理回路１３ｂに出力する。セキュリティインターホン４ｂの制御装置側Ｉ／Ｆ１３は、制御データ処理回路１３ａに入力されたＣＰＵ１０からの警報信号Ｓ１０、Ｓ１１、Ｓ１２と音声データ処理回路１３ｂに入力された音声ＲＯＭ１６からの音声データＳ１３、または音声データＳ１３を信号処理させた音声信号Ｓ１３’とを合成し、図４（ａ）、（ｂ）、（ｃ）の各説明図に示す信号構成の多重伝送信号をなす警報信号Ｓ１０’、Ｓ１１’、Ｓ１２’を多重伝送線Ｌ１１に出力する。これら警報信号Ｓ１０’、Ｓ１１’、Ｓ１２’は、多重伝送線Ｌ１１、（警報元以外の）各セキュリティインターホン４ａ、４ｃ、・・・の制御装置側Ｉ／Ｆ１３（１３、１３、・・・）の制御データ処理回路１３ａ（１３ａ、１３ａ、・・・）を介してＣＰＵ１０（１０、１０、・・・）にそれぞれ伝送されるとともに、多重伝送線Ｌ１１を介してインターホン制御装置７に伝送される。
【００９１】
なお、図２のブロック図において、自住戸内である１０２号室内にて火災、ガス漏れがそれぞれ発生したセキュリティ異常である旨の警報発報／表示、すなわち、セキュリティインターホン４ｂのスピーカ１８からの音声警報音の鳴動やモニタ２１での警報個別表示、玄関子機５ｂからの警報発報については、上述の第１の動作例の該当動作と同様であり、説明は省略する。また、各セキュリティインターホン４ａ、４ｃ、・・・のＣＰＵ１０（１０、１０、・・・）は、警報信号Ｓ１０’、Ｓ１１’、Ｓ１２’にそれぞれ警報先アドレスが包含されていないことに起因して警報元アドレスおよび警報情報が無効であると判断する。
【００９２】
図１のブロック図において、セキュリティインターホン４ｂからの警報信号Ｓ１０’、Ｓ１１’、Ｓ１２’がそれぞれ入力されたインターホン制御装置７は、当該警報信号に包含されている警報元アドレスに予め割り当てられた警報先アドレス、ここでは、１０１号室内のセキュリティインターホン４ａおよび管理室内の管理室親機６を特定するための警報先アドレスを包含させた図４（ａ）、（ｂ）、（ｃ）の各説明図に示す信号構成の警報信号Ｓ１０’’、Ｓ１１’’、Ｓ１２’’を多重伝送線Ｌ１１に出力する。これら警報信号Ｓ１０’’、Ｓ１１’’、Ｓ１２’’は、多重伝送線Ｌ１１、図２のブロック図に示す各セキュリティインターホン４ａ、４ｂ、４ｃ、・・・の制御装置側Ｉ／Ｆ１３（１３、１３、１３、・・・）の制御データ処理回路１３ａ（１３ａ、１３ａ、１３ａ、・・・）を介してＣＰＵ１０（１０、１０、１０、・・・）にそれぞれ伝送されるとともに、親機接続線Ｌ１２を介して管理室親機６に伝送される。
【００９３】
図２のブロック図に示す各セキュリティインターホン４ａ、４ｂ、４ｃ、・・・のＣＰＵ１０（１０、１０、１０、・・・）は、インターホン制御装置７からの警報信号Ｓ１０’’、Ｓ１１’’、Ｓ１２’’にそれぞれ包含されている警報先アドレスと自端末に予め割り当てられているアドレスとを照合し、当該アドレスが一致した場合にのみ警報信号Ｓ１０’’、Ｓ１１’’、Ｓ１２’’に包含されている警報元アドレスおよび警報情報が有効であると判断する。ここでは、１０１号室内のセキュリティインターホン４ａのＣＰＵ１０のみ当該アドレスが一致し、警報信号Ｓ１０’’、Ｓ１１’’、Ｓ１２’’に包含されている警報元アドレスおよび警報情報がそれぞれ有効であると判断する。
【００９４】
ここで、図２のブロック図において、インターホン制御装置７からの警報信号Ｓ１０’’に包含されている警報元アドレスおよび警報情報を有効であると判断したセキュリティインターホン４ａのＣＰＵ１０は、他住戸である１０２号室内にてセキュリティ異常が発生した旨の警報発報／代表表示を行なうために音声ＲＯＭ１６、アンプ１７、表示制御部２０をそれぞれ制御する。また、セキュリティインターホン４ａにおいて、警報信号Ｓ１０’’に包含されているセキュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１の動作例における該当動作と同様、他住戸内である１０２号室内にてセキュリティ異常が発生した旨の音声警報音がスピーカ１８にて鳴動されるとともに、他住戸内である１０２号室内にてセキュリティ異常が発生した旨が文字および／または図形でモニタ２１に代表表示され、これを確認した１０１号室内の居住者は、迅速な対応および避難が可能となる。
【００９５】
次に、図２のブロック図において、インターホン制御装置７からの警報信号Ｓ１１’’に包含されている警報元アドレスおよび警報情報が有効であると判断したセキュリティインターホン４ａのＣＰＵ１０は、他住戸である１０２号室内にて火災、ガス漏れがそれぞれ発生した旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ１１’’に包含されているセキュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１の動作例における該当動作と同様、他住戸内である１０２号室内にて火災、ガス漏れがそれぞれ発生した旨の音声警報音がスピーカ１８にて鳴動されるとともに、他住戸内である１０２号室内にて火災、ガス漏れがそれぞれ発生した旨の代表表示および警報個別表示が、自住戸内である１０１号室内にて同様なセキュリティ異常が発生した場合の警報個別表示とは異なるパターンの文字および／または図形でモニタ２１に表示され、これを確認した１０１号室内の居住者は、迅速な対応および避難が可能となる。
【００９６】
次に、図２のブロック図において、インターホン制御装置７からの警報信号Ｓ１２’’に包含されている警報元アドレスおよび警報情報が有効であると判断したセキュリティインターホン４ａのＣＰＵ１０は、他住戸である１０２号室内にてセキュリティ異常が発生し、このセキュリティ異常が火災、ガス漏れの発生である旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ１２’’に包含されているセキュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１の動作例における該当動作と同様、他住戸内である１０２号室内にてセキュリティ異常が発生し、このセキュリティ異常が火災、ガス漏れの発生である旨の音声警報音がスピーカ１８にて鳴動されるとともに、他住戸内である１０２号室内にてセキュリティ異常が発生し、このセキュリティ異常が火災、ガス漏れの発生である旨の代表表示および警報個別表示が、自住戸内である１０１号室内にて同様なセキュリティ異常が発生した場合の警報個別表示とは異なるパターンの文字および／または図形でモニタ２１に表示され、これを確認した１０１号室内の居住者は、迅速な対応および避難が可能となる。
【００９７】
また、図１のブロック図に示す管理室親機６は、インターホン制御装置７からの警報信号Ｓ１０’’、Ｓ１１’’、Ｓ１２’’にそれぞれ包含されている警報先アドレスと自端末に予め割り当てられているアドレスとを照合し、当該アドレスが一致することに起因して警報信号Ｓ１０’’、Ｓ１１’’、Ｓ１２’’に包含されている警報元アドレスおよび警報情報が有効であると判断して適宜、警報発報／表示（詳述せず）を行なうことにより、これを確認した管理室内の管理人は、迅速な対応および避難が可能となる。
【００９８】
さらに、図１のブロック図に示す管理室親機６において、他住戸からの警報受信の警報発報／表示を行なうために、火災の発生、ガス漏れの発生を特定する警報設定情報が予め記憶されている場合、この管理室親機６は、インターホン制御装置７からの警報信号Ｓ１０’’、Ｓ１１’’、Ｓ１２’’にそれぞれ包含されている警報情報の警報固有情報と予め記憶されている警報設定情報とを照合し、当該情報が一致することに起因して適宜、警報発報／表示（詳述せず）を行なうことにより、これを確認した管理室内の管理人は、迅速な対応および避難が可能となる。
【００９９】
なお、上述の説明による第１、第２の各動作例では、図２のブロック図に示すセキュリティインターホン４ｂのＣＰＵ１０から出力される警報信号として、警報元である１０２号室内のセキュリティインターホン４ｂを特定するための警報元アドレス、信号種別をなす警報コマンド、１０２号室内にてセキュリティ異常が発生した旨の代表警報情報および／または警報固有情報を示す警報情報を示す警報情報を包含した警報信号Ｓ１０、Ｓ１１、Ｓ１２（Ｓ１０’、Ｓ１１’、Ｓ１２’）を適用するにあたり、これら警報信号Ｓ１０、Ｓ１１、Ｓ１２に包含されている警報元アドレスと各セキュリティインターホン４ａ、４ｃ、・・・の設定記憶部１５（１５、１５、・・・）に予め記憶されている警報元アドレスとを照合し、一致した場合にのみ警報情報が有効であると判断させる、或いは、これら警報信号Ｓ１０、Ｓ１１、Ｓ１２（Ｓ１０’、Ｓ１１’、Ｓ１２’）にインターホン制御装置７を介して包含させた警報先アドレスとＣＰＵ１０に予め割り当てられているアドレスとを照合し、当該アドレスが一致した場合にのみ警報情報が有効であると判断する手段を適用させたが、警報元のセキュリティインターホン４ｂのＣＰＵ１０から出力される警報信号に警報先アドレスを予め包含させた場合の動作例について、以下、第３の動作例として説明する。
【０１００】
上述の第１、第２の各動作例のように、１０２号室内にてセキュリティ異常が発生し、異常検出された場合に警報発報／表示を行なう警報先として、図１のブロック図に示す自住戸内のセキュリティインターホン４ｂおよび自住戸の玄関先の玄関子機５ｂのみならず、１０１号室内のセキュリティインターホン４ａが予め定められている状態において、１０２号室内にて火災、ガス漏れがそれぞれ発生すると、セキュリティセンサ１ｂ〜３ｂのうち、火災の発生を検出（感知）するためのセキュリティセンサ、ここでは、セキュリティセンサ１ｂ、ガス漏れの発生を検出（検知）するためのセキュリティセンサ、ここでは、セキュリティセンサ２ｂがぞれぞれ作動し、各セキュリティセンサ１ｂ、２ｂにセンサ接続線Ｌ１ｂ、Ｌ２ｂを介して接続されているセキュリティインターホン４ｂのセンサ検出部１１は、セキュリティセンサ１ｂ、２ｂが作動した旨の状態検出信号Ｓ２、Ｓ３をＣＰＵ１０にそれぞれ出力する。
【０１０１】
図２のブロック図に示すセキュリティインターホン４ｂにおいて、センサ検出部１１からの状態検出信号Ｓ２、Ｓ３がそれぞれ入力されたＣＰＵ１０は、自住戸内にて火災、ガス漏れがそれぞれ発生したことを検出し、その旨を警報発報／表示させるために音声ＲＯＭ１６、アンプ１７、表示制御部２０をそれぞれ制御するとともに、警報元のセキュリティインターホンとして１０２号室内のセキュリティインターホン４ｂを特定するための警報元アドレス、信号種別をなす警報コマンド、警報先として１０１号室内のセキュリティインターホン４ａを特定するための警報先コマンド、１０２号室内にてセキュリティ異常が発生した旨の代表警報情報を示す警報情報を包含した図５（ａ）の説明図に示す信号構成の警報信号Ｓ２０、または上述の警報元アドレス、警報コマンド、警報先アドレス、１０２号室内にて火災、ガス漏れがそれぞれ発生した旨の警報固有情報を示す警報情報を包含した図５（ｂ）の説明図に示す信号構成の警報信号Ｓ２１、または上述の警報元アドレス、警報コマンド、警報先コマンド、１０２号室内にてセキュリティ異常が発生し、このセキュリティ異常が火災の発生、ガス漏れの発生である旨の代表警報情報および警報固有情報を示す警報情報を包含した図５（ｃ）の説明図に示す信号構成の警報信号Ｓ２２を制御装置側Ｉ／Ｆ１３の制御データ処理回路１３ａに出力する。
【０１０２】
図２のブロック図に示すセキュリティインターホン４ｂにおいて、上述のＣＰＵ１０により制御された音声ＲＯＭ１６は、自住戸内にて火災、ガス漏れがそれぞれ発生したセキュリティ異常である旨を警報発報させるための音声データＳ１３を、アンプ１７と、通話部２３、子機側Ｉ／Ｆ１２の音声データ処理回路１２ｂ、子機接続線Ｌ１０ｂを介して玄関子機５ｂとにそれぞれ出力するとともに、制御装置側Ｉ／Ｆ１３の音声データ処理回路１３ｂに出力する。セキュリティインターホン４ｂの制御装置側Ｉ／Ｆ１３は、制御データ処理回路１３ａに入力されたＣＰＵ１０からの警報信号Ｓ２０、Ｓ２１、Ｓ２２と音声データ処理回路１３ｂに入力された音声ＲＯＭ１６からの音声データＳ１３、または音声データＳ１３を信号処理させた音声信号Ｓ１３’とを合成し、図５（ａ）、（ｂ）、（ｃ）の各説明図に示す信号構成の多重伝送信号をなす警報信号Ｓ２０’、Ｓ２１’、Ｓ２２’を多重伝送線Ｌ１１に出力する。これら警報信号Ｓ２０’、Ｓ２１’、Ｓ２２’は、多重伝送線Ｌ１１、（警報元以外の）各セキュリティインターホン４ａ、４ｃ、・・・の制御装置側Ｉ／Ｆ１３（１３、１３、・・・）の制御データ処理回路１３ａ（１３ａ、１３ａ、・・・）を介してＣＰＵ１０（１０、１０、・・・）にそれぞれ伝送されるとともに、多重伝送線Ｌ１１、インターホン制御装置７、親機接続線Ｌ１２を介して管理室親機６に伝送される。
【０１０３】
なお、図２のブロック図において、自住戸内である１０２号室内にて火災、ガス漏れがそれぞれ発生したセキュリティ異常である旨の警報発報／表示、すなわち、セキュリティインターホン４ｂのスピーカ１８からの音声警報音の鳴動やモニタ２１での警報個別表示、玄関子機５ｂからの警報発報については、上述の第１、第２の各動作例の該当動作と同様であり、説明は省略する。
【０１０４】
図２のブロック図に示す各セキュリティインターホン４ａ、４ｃ、・・・のＣＰＵ１０（１０、１０、・・・）は、セキュリティインターホン４ｂからの警報信号Ｓ２０’、Ｓ２１’、Ｓ２２’にそれぞれ包含されている警報先アドレスと自端末に予め割り当てられているアドレスとを照合し、当該アドレスが一致した場合にのみ警報信号Ｓ２０’、Ｓ２１’、Ｓ２２’に包含されている警報元アドレスおよび警報情報が有効であると判断する。ここでは、１０１号室内のセキュリティインターホン４ａのＣＰＵ１０のみ当該アドレスが一致し、警報信号Ｓ２０’、Ｓ２１’、Ｓ２２’に包含されている警報元アドレスおよび警報情報がそれぞれ有効であると判断する。
【０１０５】
ここで、図２のブロック図において、セキュリティインターホン４ｂからの警報信号Ｓ２０’に包含されている警報元アドレスおよび警報情報を有効であると判断したセキュリティインターホン４ａのＣＰＵ１０は、他住戸である１０２号室内にてセキュリティ異常が発生した旨の警報発報／代表表示を行なうために音声ＲＯＭ１６、アンプ１７、表示制御部２０をそれぞれ制御する。また、セキュリティインターホン４ａにおいて、警報信号Ｓ２０’に包含されているセュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１、第２の各動作例における該当動作と同様、他住戸内である１０２号室内にてセキュリティ異常が発生した旨の音声警報音がスピーカ１８にて鳴動されるとともに、他住戸内である１０２号室内にてセキュリティ異常が発生した旨が文字および／または図形でモニタ２１に代表表示され、これを確認した１０１号室内の居住者は、迅速な対応および避難が可能となる。
【０１０６】
次に、図２のブロック図において、セキュリティインターホン４ｂからの警報信号Ｓ２１’に包含されている警報元アドレスおよび警報情報を有効であると判断したセキュリティインターホン４ａのＣＰＵ１０は、他住戸である１０２号室内にて火災、ガス漏れがそれぞれ発生した旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ２１’に包含されているセュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１、第２の各動作例における該当動作と同様、他住戸内である１０２号室内にて火災、ガス漏れがそれぞれ発生した旨の音声警報音がスピーカ１８にて鳴動されるとともに、他住戸内である１０２号室内にて火災、ガス漏れがそれぞれ発生した旨の代表表示および警報個別表示が、自住戸である１０１号室内にて同様なセキュリティ異常が発生した場合の警報個別表示とは異なるパターンの文字および／または図形でモニタ２１に表示され、これを確認した１０１号室内の居住者は、迅速な対応および避難が可能となる。
【０１０７】
また、図２のブロック図において、セキュリティインターホン４ｂからの警報信号Ｓ２２’に包含されている警報元アドレスおよび警報情報を有効であると判断したセキュリティインターホン４ａのＣＰＵ１０は、他住戸である１０２号室内にてセキュリティ異常が発生し、このセキュリティ異常が火災、ガス漏れの発生である旨の警報発報／代表表示および警報個別表示を行なうために音声ＲＯＭ１６、アンプ１７、表示制御部２０をそれぞれ制御する。また、セキュリティインターホン４ａにおいて、警報信号Ｓ２２’に包含されているセュリティインターホン４ｂからの音声データＳ１３、または音声信号Ｓ１３’は、制御装置側Ｉ／Ｆ１３の音声データ処理回路１３ｂを介して当該警報信号から分離されており、分離された音声データＳ１３、または音声信号Ｓ１３’はアンプ１７に印加されることにより、上述の第１、第２の各動作例における該当動作と同様、他住戸内である１０２号室内にてセキュリティ異常が発生し、このセキュリティ異常が火災、ガス漏れの発生である旨の音声警報音がスピーカ１８にて鳴動されるとともに、他住戸内である１０２号室内にてセキュリティ異常が発生し、このセキュリティ異常が火災、ガス漏れの発生である旨の代表表示および警報個別表示が、自住戸である１０１号室内にて同様なセキュリティ異常が発生した場合の警報個別表示とは異なるパターンの文字および／または図形でモニタ２１に表示される、これを確認した１０１号室内の居住者は、迅速な対応および避難が可能となる。
【０１０８】
また、図１のブロック図に示す管理室親機６は、セキュリティインターホン４ｂからの警報信号Ｓ２０’、Ｓ２１’、Ｓ２２’にそれぞれ包含されている警報先アドレスと自端末に予め割り当てられているアドレスとを照合し、当該アドレスが一致することに起因して警報信号Ｓ２０’、Ｓ２１’、Ｓ２２’に包含されている警報情報が有効であると判断して適宜、警報発報／表示（詳述せず）を行なうことにより、これを確認した管理室内の管理人は、迅速な対応および避難が可能となる。
【０１０９】
さらに、図１のブロック図に示す管理室親機６において、他住戸からの警報受信の警報発報／表示を行なうために、火災の発生、ガス漏れの発生を特定する警報設定情報が予め記憶されている場合、この管理室親機６は、セキュリティインターホン４ｂからの警報信号Ｓ２０’、Ｓ２１’、Ｓ２２’にそれぞれ包含されている警報情報の警報固有情報と予め記憶されている警報設定情報とを照合し、当該情報が一致することに起因して適宜、警報発報／表示（詳述せず）を行なうことにより、これを確認した管理室内の管理人は、迅速な対応および避難が可能となる。
【０１１０】
なお、上述の第１、第２、第３の各動作例において、図２のブロック図に示すセキュリティインターホン４ａのモニタ２１での警報個別表示は、自己の警報表示、すなわち、１０１号室内にて火災、ガス漏れがそれぞれ発生した場合の警報表示の該当部位で兼用される。
【０１１１】
本発明の一実施例によれば、各住戸内にて発生したセキュリティ異常を検出するためのセキュリティセンサとして、住戸毎、３個づつのセキュリティセンサ１ａ〜３ａ、１ｂ〜３ｂ、１ｃ〜３ｃ、・・・として説明したが、この数は３個に限定されず、１以上のセキュリティセンサを備えることにより同様な効果を奏する。
【０１１２】
また、本発明の一実施例によれば、自住戸内、または他住戸内にて発生したセキュリティ異常を警報表示するための表示手段として、各セキュリティインターホン４ａ、４ｂ、４ｃ、・・・にＬＣＤで構成されるモニタ２１（２１、２１、２１、・・・）を備えたが、この表示手段はモニタ２１（２１、２１、２１、・・・）に限定されず、ＬＥＤで構成される表示灯等も好適である。
【０１１３】
また、本発明の一実施例における第１、第２、第３の各動作例では、１０２号室内にてセキュリティ異常が発生し、異常検出された場合に警報発報／表示を行なう警報先を、１０１号室内のセキュリティインターホン４ａとしたが、この設定はセキュリティインターホン４ａのみに限定されず、セキュリティインターホン４ａを包含した複数のセキュリティインターホン、セキュリティインターホン４ａを除く単一、または複数のセキュリティインターホンのように、任意のセキュリティインターホンで予め定めることができる。
【０１１４】
また、本発明の一実施例における第１、第２、第３の各動作例では、１０２号室内にて発生したセキュリティ異常を、火災の発生、ガス漏れの発生としたが、当該セキュリティ異常はこれに限定されず、火災の発生、ガス漏れの発生、非常通報、漏水の発生、防犯、トイレ呼び出し、断線等のように、警報固有情報毎で単一のセキュリティ異常、または複数のセキュリティ異常を、該当するセキュリティセンサ１ａ〜３ａ、１ｂ〜３ｂ、１ｃ〜３ｃ、・・・にて検出することができ、検出されたセキュリィ異常は、自住戸のセキュリティインターホン、自住戸の玄関先の玄関子機、予め定められた他住戸のセキュリティインターホンおよび管理室内の管理室親機６にて警報発報／表示される。
【０１１５】
また、本発明の一実施例における第１、第２、第３の各動作例では、１０２号室内にてセキュリティ異常、例えば、火災、ガス漏れが発生し、異常検出された場合の警報先を、自住戸内のセキュリティインターホン４ｂ、自住戸の玄関先の玄関子機５ｂ、予め定められた他住戸内のセキュリティインターホン４ａおよび管理室内の管理室親機６としたが、これら警報先は、検出されたセキュリティ異常毎で任意に選択可能であり、例えば、夜間等に１０２号室内にて漏水のセキュリティ異常が発生した場合、このセキュリティ異常の警報先を他住戸内のセキュリティインターホン４ａおよび管理室内の管理室親機６のみの設定とすることにより、１０２号室の玄関先周辺にて騒音を発生させることなく、迅速な対応が可能となる。
【０１１６】
また、本発明の一実施例における第１、第２、第３の各動作例では、１０２号室内にてセキュリティ異常が発生し、異常検出された場合に、予め定められた警報先のセキュリティインターホン４ａでは、警報信号に包含されている警報先アドレス、または警報元アドレスと設定記憶部１５に予め記憶されている警報先アドレス、または当該ＣＰＵに予め割り当てられている自端末のアドレスとを照合し、当該アドレスが一致した場合にのみ警報発報／表示を行なったが、操作部１４の特定の操作に基づき選択され、設定記憶部１５に予め記憶させた警報情報を包含した警報信号を受信したときにのみ警報発報／表示を行なうこともできる。
【０１１７】
また、本発明の一実施例における第１、第２、第３の各動作例では、１０２号室内にてセキュリティ異常が発生し、異常検出された場合に、警報元のセキュリティインターホン４ｂから多重伝送線Ｌ１１に出力される各種警報信号に音声ＲＯＭ１６からの音声データＳ１３、または音声データＳ１３を信号処理した音声信号Ｓ１３’を包含させたが、音声データＳ１３、または音声データＳ１３の包含はＣＰＵ１０の制御により任意で選択可能であり、選択されていない場合、予め定められたセキュリティインターホンのスピーカ１８にて鳴動させる音声警報音は、音声ＲＯＭ１６から出力される音声データに基づく音声警報音となる。
【０１１８】
また、本発明の一実施例における第１、第２、第３の各動作例では、１０２号室内にてセキュリティ異常が発生し、異常検出された場合に警報元のセキュリティインターホン４ｂのモニタ２１および予め定められた警報先のセキュリティインターホン４ａのモニタ２１にて行なわれる警報表示は、表示制御部２０の制御により表示データ記憶部１９より読み出された画像データおよび／または文字データに基づき行なわれたが、表示される画像および／または文字は、管理室内の管理人による管理室親機５での特定の操作により親機接続線Ｌ１２、インターホン制御装置７、多重伝送線Ｌ１１、各セキュリティインターホン４ａ、４ｂ、４ｃ、・・・の制御装置側Ｉ／Ｆ１３（１３、１３、１３、・・・）の音声データ処理回路１３ｂ（１３ｂ、１３ｂ、１３ｂ、・・・）、通話部２３（２３、２３、２３、・・・）、ＣＰＵ１０（１０、１０、１０、・・・）、表示制御部２０（２０、２０、２０、・・・）を介して伝送される画像データおよび／または文字データに基づきモニタ２１（２１、２１、２１、・・・）に表示させることも可能であり、伝送されてきた画像データおよび／または文字データは、表示データ記憶部１９に記憶させることもできる。
【０１１９】
さらに、本発明の一実施例における第１、第２、第３の各動作例では、１０２号室内にてセキュリティ異常が発生し、異常検出された場合に、予め定められた警報先のセキュリティインターホン４ｂでは、スピーカ１８からの音声警報音の鳴動に基づく警報発報、モニタ２１での警報表示をそれぞれ行なったが、ＣＰＵ１０の制御により警報発報、警報表示を任意の選択、例えば、何れか一方を選択して行なうこともできる。
【０１２０】
【発明の効果】
以上の説明から明らかなように、本発明のセキュリティインターホンシステムによれば、住戸内にて発生した異常（セキュリティ異常）をセキュリティセンサが検出した場合の警報発報／表示が、警報元の住戸内のセキュリティインターホン、管理室内の管理室親機のみならず、警報先として予め個別に定められた他住戸内のセキュリティインターホンにて行なうことができる。
【０１２１】
また、本発明のセキュリティインターホンシステムを構成する使用機器間の接続が多重伝送線を介して行なわれることにより、使用機器間の接続が容易となり施工費等のコストを削減できるとともに、当該機器間にて送受信される信号の信頼性が向上する。
【図面の簡単な説明】
【図１】本発明の一実施例によるセキュリティインターホンシステムの構成を示すブロック図である。
【図２】本発明の一実施例によるセキュリテイインターホンシステムにおいて、各住戸内に設置されるセキュリティインターホンの具体的な構成を示すブロック図である
【図３】（ａ）、（ｂ）、（ｃ）は、本発明の一実施例によるセキュリテイインターホンシステムの第１の動作例において送受信される信号（多重伝送信号）の構成を示す説明図である。
【図４】（ａ）、（ｂ）、（ｃ）は、本発明の一実施例によるセキュリテイインターホンシステムの第２の動作例において送受信される信号（多重伝送信号）の構成を示す説明図である。
【図５】（ａ）、（ｂ）、（ｃ）は、本発明の一実施例によるセキュリテイインターホンシステムの第３の動作例において送受信される信号（多重伝送信号）の構成を示す説明図である。
【図６】従来例のセキュリテイインターホンシステムの構成を示すブロック図である。
【符号の説明】
１ａ〜３ａ、１ｂ〜３ｂ、１ｃ〜３ｃ、・・・　・・・・・セキュリティセンサ
４ａ、４ｂ、４ｃ、・・・　・・・・・セキュリティインターホン
６・・・・・管理室親機
７・・・・・インターホン制御装置
１０・・・・・ＣＰＵ
１４・・・・・操作部（設定手段）
１５・・・・・設定記憶部（設定手段をなす記憶手段）
１６・・・・・音声ＲＯＭ（音声合成手段）
１８・・・・・スピーカ（音声警報音出力手段）
２１・・・・・モニタ（表示手段）
Ｌ１１・・・・・多重伝送線
【図１】
2004046350.tif 000003
【図２】
2004046350.tif 000004
【図３】
2004046350.tif 000005
【図４】
2004046350.tif 000006
【図５】
2004046350.tif 000007
【図６】
2004046350.tif 000008